(57)【要約】【課題】簡易かつ確実に画像のバックアップを行うことができるようにする。【解決手段】分解部１２が画像を、画像の全体を視認することが可能な主成分を含む複数の成分に分解することにより複数の分解画像を取得する。画像記録部１３が、複数の分解画像のうち、主成分を表す分解画像を含む少なくとも１つの分解画像を、複数のユーザにそれぞれに関連づけられた記録媒体に記録する。記録先情報生成部１４が複数の分解画像のそれぞれが記録された記録媒体を特定する記録先情報を生成する。【選択図】図２
2007174465.tif 000002
【特許請求の範囲】
【請求項１】
画像を、該画像の全体を視認することが可能な主成分を含む複数の成分に分解することにより各成分をそれぞれ表す複数の分解画像を取得する分解手段と、
前記複数の分解画像のうち、前記主成分を表す分解画像を含む少なくとも１つの分解画像を、複数のユーザにそれぞれに関連づけられた記録媒体に記録する画像記録手段と、
前記複数の分解画像のそれぞれが記録された記録媒体を特定する記録先情報を生成する記録先情報生成手段とを備えたことを特徴とする画像記録装置。
【請求項２】
前記画像記録手段は、前記複数のユーザのそれぞれが有する画像を前記複数のユーザのそれぞれに関連づけられた記録媒体に記録する手段であることを特徴とする請求項１記載の画像記録装置。
【請求項３】
前記画像記録手段は、前記分解画像を暗号化して前記記録媒体に記録する手段であることを特徴とする請求項１または２記載の画像記録装置。
【請求項４】
特定の画像の取得の指示により、前記記録先情報を参照して前記特定の画像が記録された記録媒体を特定し、該特定された記録媒体から前記特定の画像を取得するための処理を行う画像取得手段をさらに備えたことを特徴とする請求項１から３のいずれか１項記載の画像記録装置。
【請求項５】
前記記録先情報を参照することにより特定された、特定の画像が記録された記録媒体からの該特定の画像の取得の指示により、前記特定された記録媒体から前記特定の画像を取得するための処理を行う画像取得手段をさらに備えたことを特徴とする請求項１から３のいずれか１項記載の画像記録装置。
【請求項６】
画像を、該画像の全体を視認することが可能な主成分を含む複数の成分に分解することにより各成分をそれぞれ表す複数の分解画像を取得し、
前記複数の分解画像のうち、前記主成分を表す分解画像を含む少なくとも１つの分解画像を、複数のユーザにそれぞれに関連づけられた記録媒体に記録し、
前記複数の分解画像のそれぞれが記録された記録媒体を特定する記録先情報を生成することを特徴とする画像記録方法。
【請求項７】
画像を、該画像の全体を視認することが可能な主成分を含む複数の成分に分解することにより各成分をそれぞれ表す複数の分解画像を取得する手順と、
前記複数の分解画像のうち、前記主成分を表す分解画像を含む少なくとも１つの分解画像を、複数のユーザにそれぞれに関連づけられた記録媒体に記録する手順と、
前記複数の分解画像のそれぞれが記録された記録媒体を特定する記録先情報を生成する手順とを有することを特徴とする画像記録方法をコンピュータに実行させるためのプログラム。
【発明の詳細な説明】
【技術分野】
【０００１】
本発明は、例えばバックアップのために画像をＤＶＤ等の記録媒体に記録する画像記録装置および方法、並びに画像記録方法をコンピュータに実行させるためのプログラムに関するものである。
【背景技術】
【０００２】
パソコン等に記録された画像等の各種データは、パソコンのハードディスクが破損する等して障害が発生すると消失してしまうことから、可搬型のメディア、外付けのハードディスク、あるいはネットワークを介して接続されたサーバに記録する等して、データをバックアップする必要がある。このようにデータをバックアップするためのシステムとして、複数のハードディスクを用意し、互いのデータに冗長性を持たせるようにしたＲＡＩＤが知られている。このＲＡＩＤを用いることにより、１つのハードディスクに障害が発生しても、他のハードディスクに記録されたデータから、障害が発生したハードディスクに記録されていたデータの復旧が可能となる。
【０００３】
一方、ＤＶＤおよびＣＤ等の可搬型のメディアに記録されたデータをバックアップするための各種手法も提案されている（特許文献１参照）。特許文献１の手法は、ｎ枚の独立したメディアのバックアップを作成する際に、ｎ枚のメディアと１枚の未使用のメディアとによりメディアグループを構成し、１枚の未使用のメディアに、ｎ枚の独立したメディア間でそれぞれ同一アドレスのすべてのデータの排他的論理和を演算することにより得たパリティを記録しておき、データを記録したメディアに障害が発生した際に、同一メディアグループの正常なデータを記録したメディアと、パリティを記録したメディアとから障害が発生したメディアのデータを再生成するものである。
【特許文献１】特開平１０−２５４６４６号公報
【発明の開示】
【発明が解決しようとする課題】
【０００４】
しかしながら、ＲＡＩＤは装置が大がかりになるため、バックアップのためのコストが増大する。また、ＲＡＩＤが設置された施設が地震等により破壊されてしまうと、データの復旧は非常に困難なものとなる。また、上記特許文献１に記載された手法は、データを記録したメディアにのみ障害が発生した場合はデータを復旧できるが、パリティを記録したメディアに障害が発生するとデータを復旧することはできない。
【０００５】
本発明は、上記事情に鑑みなされたものであり、簡易かつ確実にデータ、とくに画像のバックアップを行うことができるようにすることを目的とする。
【課題を解決するための手段】
【０００６】
本発明による画像記録装置は、画像を、該画像の全体を視認することが可能な主成分を含む複数の成分に分解することにより各成分をそれぞれ表す複数の分解画像を取得する分解手段と、
前記複数の分解画像のうち、前記主成分を表す分解画像を含む少なくとも１つの分解画像を、複数のユーザにそれぞれに関連づけられた記録媒体に記録する画像記録手段と、
前記複数の分解画像のそれぞれが記録された記録媒体を特定する記録先情報を生成する記録先情報生成手段とを備えたことを特徴とするものである。
【０００７】
「画像の全体を視認することが可能な複数の成分」とは、その成分を再生した際に、元の画像を再生した場合よりも画質は劣化するものの元の画像の内容を理解できる画像を表す成分であり、具体的には、元の画像がＲＧＢデータからなる場合のＲＧＢの各色成分、元の画像がＹＣＣ成分からなる場合のＹ成分、元の画像をウェーブレット変換等の多重解像度変換により周波数分解した際の最低周波数成分（最低解像度画像を表す成分）等を用いることができる。
【０００８】
なお、本発明による画像記録装置においては、前記画像記録手段を、前記複数のユーザのそれぞれが有する画像を前記複数のユーザのそれぞれに関連づけられた記録媒体に記録する手段としてもよい。
【０００９】
また、本発明による画像記録装置においては、前記画像記録手段を、前記分解画像を暗号化して前記記録媒体に記録する手段としてもよい。
【００１０】
また、本発明による画像記録装置においては、特定の画像の取得の指示により、前記記録先情報を参照して前記特定の画像が記録された記録媒体を特定し、該特定された記録媒体から前記特定の画像を取得するための処理を行う画像取得手段をさらに備えるものとしてもよい。
【００１１】
また、本発明による画像記録装置においては、前記記録先情報を参照することにより特定された、特定の画像が記録された記録媒体からの該特定の画像の取得の指示により、前記特定された記録媒体から前記特定の画像を取得するための処理を行う画像取得手段をさらに備えるものとしてもよい。
【００１２】
取得するための処理としては、最終的に分解画像を取得することができる処理を意味し、具体的には、特定された記録媒体を所持するユーザに、そのユーザが所持する記録媒体に記録された画像の送信を依頼すること、記録媒体の貸し出しを依頼すること、およびそのユーザが記録媒体に記録された分解画像を誰もがアクセス可能にそのユーザのパソコン等に記録している場合には、分解画像の保管場所にアクセスして分解画像をダウンロードすること等が挙げられる。
【００１３】
本発明による画像記録方法は、画像を、該画像の全体を視認することが可能な主成分を含む複数の成分に分解することにより各成分をそれぞれ表す複数の分解画像を取得し、
前記複数の分解画像のうち、前記主成分を表す分解画像を含む少なくとも１つの分解画像を、複数のユーザにそれぞれに関連づけられた記録媒体に記録し、
前記複数の分解画像のそれぞれが記録された記録媒体を特定する記録先情報を生成することを特徴とするものである。
【００１４】
なお、本発明による画像記録方法をコンピュータに実行させるためのプログラムとして提供してもよい。
【発明の効果】
【００１５】
本発明によれば、画像が、画像の全体を視認することが可能な複数の成分に分解されて各成分をそれぞれ表す複数の分解画像が取得される。そして、複数の分解画像のそれぞれが複数のユーザに関連づけられた記録媒体に記録されるとともに、複数の分解画像のそれぞれが記録された記録媒体を特定する記録先情報が生成される。このため、あるユーザが画像を記録しているメディアに破壊等の障害が発生してその画像が消失しまった場合には、記録先情報を参照することにより、消失した画像に対応する分解画像が記録されている記録媒体を特定することができ、これにより特定した記録媒体から消失した画像を取得することが可能となる。したがって、高価な設備を用意することなく、簡易かつ確実に画像のバックアップを行うことができる。
【００１６】
また、複数のユーザのそれぞれが有する画像を複数のユーザにそれぞれ関連づけられた記録媒体に記録することにより、各ユーザの画像とともに他のユーザの分解画像を１つの記録媒体に記録することができる。
【００１７】
また、分解画像を暗号化して記録媒体に記録することにより、あるユーザの分解画像が他のユーザに見られてしまうことを防止することができる。
【発明を実施するための最良の形態】
【００１８】
以下、図面を参照して本発明の実施形態について説明する。図１は本発明の第１の実施形態による画像記録装置を適用したバックアップシステムの概念図である。図１に示すように、第１の実施形態によるバックアップシステムは、複数のユーザが、ユーザが所持するＣＤ、メモリカードおよび写真フイルム等のメディア１に記録された画像のＤＶＤ３への記録をラボ２に依頼する際に、各ユーザのメディア１に記録された画像のバックアップをラボ２が行うものである。
【００１９】
図２は第１の実施形態におけるラボ２の構成を示す概略ブロック図である。図２に示すように、ラボ２にはメディア１から画像を読み取る等により画像を取得する画像入力部１１と、画像を複数の成分に分解することにより各成分をそれぞれ表す複数の分解画像を取得する分解部１２と、ユーザの画像をＤＶＤ３に記録するとともに、他のユーザの分解画像を同一のＤＶＤ３に記録する画像記録部１３と、後述する分解画像が記録されたＤＶＤ３を特定する記録先情報を生成する記録先情報生成部１４と、画像および記録先情報を含む各種情報を記録するハードディスク１５と、インターネットを介した通信を行う通信部１６と、ラボ２の動作を制御するＣＰＵ１７と、各種表示を行う液晶モニタ等の表示部１８と、各種入力を行うキーボードおよびマウス等からなる入力部１９と、後述するように分解画像を取得する画像取得部２０とを備える。
【００２０】
画像入力部１１は、メディア１が画像の画像データを記録するＣＤやメモリカード等の光学的あるいは磁気的な記録媒体である場合には、メディア１から画像データを読み出すことにより画像を取得する。また、メディア１が画像を記録した写真フイルム等である場合には、写真フイルムから画像を光電的に読み取ることにより画像を取得する。
【００２１】
分解部１２は、画像を、画像の全体を視認することが可能な成分（主成分とする）を含む複数の成分に分解することにより、各成分を表す複数の分解画像を取得する。具体的には、画像がＲＧＢ各色成分からなる場合には、画像をＲＧＢ各色成分に分解して各色成分を表す分解画像を取得する。この場合、各分解画像が主成分を表す分解画像となる。以降、主成分を表す画像を主成分分解画像と称する。また、ＲＧＢ各色成分をＹＣＣ輝度色差成分に変換することにより、輝度成分Ｙおよび色差成分Ｃｂ，Ｃｒをそれぞれ表す分解画像を取得するものであってもよい。この場合、主成分は輝度成分Ｙとなるため、輝度成分Ｙを表す画像が主成分分解画像となる。また、ウェーブレット変換等の多重解像度変換により、画像を複数の周波数成分に分解することにより、各周波数成分を表す複数の分解画像を取得してもよい。この場合、主成分は最低周波数成分となるため、最低周波数成分を表す画像が主成分分解画像となる。
【００２２】
なお、本実施形態においては画像をＹＣＣ輝度成分に分解することにより、ＹＣＣ各成分を表す分解画像を取得するものとして説明する。
【００２３】
画像記録部１３は、画像のＤＶＤ３への記録を依頼したユーザの画像を、各ユーザ毎に用意されたＤＶＤ３に記録するとともに、あるユーザの画像から取得した分解画像のうち、主成分分解画像を含む少なくとも１つの分解画像を、他のユーザのＤＶＤ３に記録する。図３は画像記録部１３が行う記録処理の概要を説明するための図である。なお、ここではＡＢＣ３人のユーザがＤＶＤ３への画像の記録を依頼した場合の処理について説明する。また、図３においては、実線がユーザが有する画像のそのユーザのＤＶＤ３への記録を、破線が分解画像の他のユーザのＤＶＤ３への記録を表すものとする。
【００２４】
ユーザＡがＣＤ１Ａに記録された画像のＤＶＤへの記録を依頼した場合、ユーザＡのＣＤ１Ａから読み出した画像はユーザＡ用のＤＶＤ３Ａにすべて記録される。ユーザＢがメモリカード１Ｂに記録された画像のＤＶＤへの記録を依頼した場合、ユーザＢのメモリカード１Ｂから読み出した画像はユーザＢ用のＤＶＤ３Ｂにすべて記録される。ユーザＣが写真フイルム１Ｃに記録された画像のＤＶＤへの記録を依頼した場合、ユーザＣの写真フイルム１Ｃから読み出した画像はユーザＣ用のＤＶＤ３Ｃにすべて記録される。
【００２５】
また、これと併せて、ユーザＡの画像の主成分分解画像を含む少なくとも１つの分解画像が、ユーザＢおよびユーザＣのＤＶＤ３Ｂ，３Ｃにそれぞれ記録される。また、ユーザＢの画像の主成分分解画像を含む少なくとも１つの分解画像が、ユーザＡおよびユーザＣのＤＶＤ３Ａ，３Ｃにそれぞれ記録される。また、ユーザＣの画像の主成分分解画像を含む少なくとも１つの分解画像が、ユーザＡおよびユーザＢのＤＶＤ３Ａ，３Ｂにそれぞれ記録される。
【００２６】
ここで、本実施形態においては分解画像はＹＣＣ各成分を表し、主成分分解画像はＹ成分を表すものであることから、他のユーザのＤＶＤには、主成分分解画像のみ、または主成分分解画像とＣｂ成分またはＣｒ成分を表す分解画像が記録される。
【００２７】
なお、他のユーザの分解画像については、暗号化しておくことが好ましい。これにより、画像が他人に自由に見られてしまうことを防止できる。なお、暗号化された分解画像を復号化するための鍵は、ラボ２が管理すればよい。
【００２８】
記録先情報生成部１４は、ユーザ毎に画像データから取得した分解画像が記録されたＤＶＤ３を特定する記録先情報データベースＤＢ１を生成してハードディスク１５に記録する。図４は記録先情報データベースの構成の例を示す図である。図４に示すように、記録先情報データベースＤＢ１には、ラボ２に登録されている複数のユーザのユーザＩＤが登録されており、各ユーザＩＤにはそのユーザに渡したＤＶＤ３を特定するためのメディアＩＤが登録されている。例えば、ユーザＩＤ０００２のユーザにはメディアＩＤがＭ００１，Ｍ００２，Ｍ００３…のＤＶＤ３が渡されていることが分かる。
【００２９】
また、メディアＩＤには、そのメディアＩＤに対応するＤＶＤ３に記録されている画像の分解画像を特定するためのバックアップデータＩＤが登録されている。ここで、分解画像は１つの元の画像について複数存在することから、１つのメディアＩＤには複数のバックアップデータＩＤが登録されている。なお、バックアップデータＩＤは対応するＤＶＤ３に記録されている他のユーザの分解画像を特定するためのものである。本実施形態においては、さらに分解画像の種類を特定するために、バックアップデータＩＤと対応する分解画像が表す成分とを対応づけたテーブルＴ０（図５参照）がハードディスク１５に記録されている。
【００３０】
また、バックアップデータＩＤには、そのバックアップデータＩＤに対応する分解画像がいずれのユーザのどのＤＶＤ３に記録されているかを表すユーザＩＤおよびメディアＩＤが登録されている。例えば、バックアップデータＩＤＤ０２Ｍ００２０１には、「ユーザＩＤ０００１、メディアＩＤＭ０００３」および「ユーザＩＤ０００３，メディアＩＤＭ００１」が登録されている。
【００３１】
このため、あるユーザのＤＶＤ３に破壊等により障害が発生し、そのＤＶＤ３に記録されていた画像が消失してしまった場合、そのユーザはラボ２にＤＶＤの再作成を依頼する。依頼の際にはユーザＩＤおよびメディアＩＤをラボ２に通知する。これにより、画像取得部２０が記録先情報データベースＤＢ１を参照して、消失した画像に対応する分解画像が記録されたＤＶＤ３を特定する。
【００３２】
なお、ＤＶＤ３が特定されると、画像取得部２０は、例えばそのＤＶＤ３を所持するユーザに電子メールを送信することにより、対応するＤＶＤ３に記録されている分解画像のラボ２への送信を依頼したり、ＤＶＤ３への貸し出しを依頼する。なお、ユーザがＤＶＤ３に記録された画像をユーザのパソコンに記録し、その記録先を特定するＵＲＬをラボ２に通知している場合には、画像取得部２０は通信部１６を介してＵＲＬにアクセスして分解画像を取得することができる。本実施形態においては、ユーザに電子メールを送信することにより、対応するＤＶＤ３に記録されている分解画像のラボ２への送信を依頼したり、ＤＶＤ３への貸し出しを依頼するものとする。
【００３３】
画像取得部２０が分解画像を取得した後、画像記録部１３が可能であれば元の画像を再構成し、分解画像または再構成された画像を記録したＤＶＤ３を作成する。すなわち、分解画像が元の画像のＹＣＣ成分を表すものである場合において、主成分であるＹ成分を表す分解画像は必ず他のユーザのＤＶＤ３に記録されているため、画像記録部１３は最悪でも画像の内容を確認可能な輝度成分Ｙのみからなる画像をＤＶＤ３に記録することができる。また、複数のユーザのＤＶＤ３に分解画像が記録されている場合において、例えばユーザＡの分解画像について、ユーザＢのＤＶＤ３にはＹ成分およびＣｂ成分の分解画像が、ユーザＣのＤＶＤ３にはＹ成分およびＣｒ成分の分解画像が記録されている場合、ユーザＢ，Ｃから分解画像を入手すれば、ＹＣＣすべての成分が存在することから元の画像を完全に再構成することができるため、画像記録部１３は画像を再構成してＤＶＤ３に記録する。これにより、障害が発生したＤＶＤ３に記録されていた画像と全く同一の画像が記録されたＤＶＤ３を作成することができる。
【００３４】
なお、画像取得部２０は、分解画像を取得するに際し、取得の状況を管理するようにしてもよい。図６は分解画像の取得の状況を管理する管理テーブルの例を示す図である。図６に示す管理テーブルＴ１はハードディスク１５に記録されており、ユーザ単位で現在分解画像取得の依頼を受けているバックアップデータＩＤ、メディアＩＤ、ユーザＩＤおよびステータスが対応づけられている。なお、図６においてはユーザＩＤ０００１のユーザが現在取得を依頼しているステータスを示している。
【００３５】
ここで、画像取得部２０は管理テーブルＴ１を参照して分解画像の取得の状況を確認できる。なお、図６においては、分解画像の一部のみが取得済みであるが、問い合わせ中のユーザの所在が不在である等して、一定期間を経過しても他の分解画像が取得できない場合には、取得した分解画像のみを用いてＤＶＤ３が作成される。
【００３６】
次いで、第１の実施形態において行われる処理について説明する。図７は画像のＤＶＤへの記録時に行われる処理を示すフローチャートである。ラボ２のオペレータが入力部１９からＤＶＤ３の作成の指示を行うことによりＣＰＵ１７が処理を開始し、画像入力部１１がユーザがＤＶＤ３に記録を依頼した画像が記録されているメディア１から画像を取得する（ステップＳＴ１）。そして、分解部１２が画像から分解画像を取得する（ステップＳＴ２）。次いで、画像記録部１３がＤＶＤ３にユーザの画像とともに他のユーザの分解画像を記録し（ステップＳＴ３）、記録先情報生成部１４が記録先情報データベースＤＢ１を生成し（ステップＳＴ４）、処理を終了する。
【００３７】
図８は第１の実施形態においてＤＶＤ再作成の依頼があった際に行われる処理を示すフローチャートである。あるユーザからＤＶＤ再作成の依頼があった旨の情報（ユーザＩＤ、メディアＩＤ）をラボ２のオペレータが入力部１９から入力することによりＣＰＵ１２が処理を開始し、画像取得部２０が、記録先情報データベースＤＢ１を参照して、入力されたメディアＩＤに対応するＤＶＤ３に記録された画像の分解画像が記録されているＤＶＤ３を特定する（ステップＳＴ１１）。そして、特定されたＤＶＤ３を所持するユーザに電子メールを送信することにより、そのユーザが所持するＤＶＤ３に記録されている分解画像のラボ２への送信を依頼したり、ＤＶＤ３の貸し出しを依頼するための分解画像取得の通知を行う（ステップＳＴ１２）。
【００３８】
そして、画像取得部２０は通知後に一定期間が経過したか否かの監視を開始し（ステップＳＴ１３）、ステップＳＴ１３が肯定されると、分解画像が取得できたか否かを判定する（ステップＳＴ１４）。ステップＳＴ１４が否定されると、その旨をＤＶＤ再作成の依頼を行ったユーザに通知し（ステップＳＴ１５）、処理を終了する。この場合、ＤＶＤ再作成を依頼したユーザが消失した画像は復旧できないこととなる。
【００３９】
ステップＳＴ１４が肯定されると、取得した分解画像から元の画像が再構成できるか否かを判定し（ステップＳＴ１６）、ステップＳＴ１６が否定されると、画像記録部１３が取得した分解画像をＤＶＤ３に記録し（ステップＳＴ１７）、処理を終了する。ステップＳＴ１６が肯定されると取得した分解画像から元の画像を再構成し、再構成された画像をＤＶＤ３に記録し（ステップＳＴ１８）、処理を終了する。
【００４０】
このように、第１の実施形態においては、画像から分解画像を取得し、あるユーザの画像を記録したＤＶＤ３に他のユーザの分解画像を記録するようにしたため、あるユーザが画像を記録しているＤＶＤ３に破壊等の障害が発生してその画像が消失しまった場合には、その旨をラボ２に通知すれば、ラボ２においては記録先情報を参照することにより、消失した画像に対応する分解画像が記録されているＤＶＤ３を特定することができ、これにより、特定したＤＶＤ３から消失した画像を取得することが可能となる。したがって、高価な設備を用意することなく、簡易に画像のバックアップを行うことができる。
【００４１】
また、複数のユーザのそれぞれが有する画像を複数のユーザにそれぞれ関連づけられたＤＶＤ３に記録することにより、各ユーザの画像とともに他のユーザの分解画像を１つのＤＶＤ３に記録することができる。
【００４２】
なお、上記第１の実施形態においては、ラボ２において記録先情報データベースＤＢ１をハードディスク１５に記録し、ラボ２において分解画像が記録されたＤＶＤ３を特定しているが、ユーザに記録先情報データベースＤＢ１を提供することにより、ユーザが分解画像が記録されたＤＶＤ３を特定し、特定したＤＶＤ３のメディアＩＤおよび特定されたＤＶＤ３を所持するユーザのユーザＩＤ（以下記録先情報とする）をラボ２に通知してもよい。以下、これを第２の実施形態として説明する。図９は本発明の第２の実施形態によるラボ２′の構成を示す図である。なお、第２の実施形態において図２に示す第１の実施形態と同一の構成については同一の参照番号を付与し、ここでは詳細な説明は省略する。第２の実施形態においては、画像取得部２０とは異なる処理を行う画像取得部２１を備えたものである。
【００４３】
ここで、第２の実施形態においては、記録先情報データベースＤＢ１をハードディスク１５に記録せず、ＤＶＤ３への画像の記録をラボ２に依頼したユーザに提供するものである。なお、記録先情報データベースＤＢ１のユーザへの提供は、ＤＶＤ３に記録することによるものであってもよく、電子メールに添付してユーザに送信することによるものであってもよい。
【００４４】
次いで、第２の実施形態において行われる処理について説明する。なお、第２の実施形態においては、記録先情報データベースＤＢ１はすでにユーザに提供されているものとする。
【００４５】
図１０は第２の実施形態においてＤＶＤ再作成の依頼があった際に行われる処理を示すフローチャートである。あるユーザからＤＶＤ再作成の依頼があった旨の情報（ユーザＩＤ、メディアＩＤおよび記録先情報）をラボ２のオペレータが入力部１９から入力することによりＣＰＵ１２が処理を開始し、画像取得部２１が、ユーザから提供があった記録先情報を参照して、入力されたメディアＩＤに対応するＤＶＤ３に記録された画像の分解画像が記録されているＤＶＤ３を所持するユーザに電子メールを送信することにより、そのユーザが所持するＤＶＤ３に記録されている分解画像のラボ２への送信を依頼したり、ＤＶＤ３の貸し出しを依頼するための分解画像取得の通知を行う（ステップＳＴ２１）。
【００４６】
そして、画像取得部２１は通知後に一定期間が経過したか否かの監視を開始し（ステップＳＴ２２）、ステップＳＴ２２が肯定されると、分解画像が取得できたか否かを判定する（ステップＳＴ２３）。ステップＳＴ２３が否定されると、画像記録部１３がその旨をＤＶＤ再作成の依頼を行ったユーザに通知し（ステップＳＴ２４）、処理を終了する。この場合、ＤＶＤ再作成を依頼したユーザが消失した画像は復旧できないこととなる。
【００４７】
ステップＳＴ２３が肯定されると、取得した分解画像から元の画像が再構成できるか否かを判定し（ステップＳＴ２５）、ステップＳＴ２５が否定されると、取得した分解画像をＤＶＤ３に記録し（ステップＳＴ２６）、処理を終了する。ステップＳＴ２５が肯定されると取得した分解画像から元の画像を再構成し、再構成された画像をＤＶＤ３に記録し（ステップＳＴ２７）、処理を終了する。
【００４８】
このように、第２の実施形態においては、ラボ２において、ユーザが提供した記録先情報を参照することにより、消失した画像に対応する分解画像が記録されているＤＶＤ３を所持するユーザに直ちに分解画像を取得するための通知を行うことができ、これにより特定したＤＶＤ３から消失した画像を取得することが可能となる。したがって、高価な設備を用意することなく、簡易かつ確実に画像のバックアップを行うことができる。
【００４９】
以上、本発明の実施形態に係る装置２について説明したが、コンピュータを、上記の分解部１２、画像記録部１３、記録先情報生成部１４、および画像取得部２０，２１に対応する手段として機能させ、図７，８，１０に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００５０】
【図１】本発明の第１の実施形態による画像記録装置を適用したバックアップシステムの概念図
【図２】第１の実施形態におけるラボの構成を示す概略ブロック図
【図３】画像記録部が行う記録処理の概要を説明するための図
【図４】記録先情報データベースの構成の例を示す図
【図５】バックアップデータＩＤと対応する分解画像が表す成分とを対応づけたテーブルを示す図
【図６】分解画像の取得の状況を管理する管理テーブルの例を示す図
【図７】画像のＤＶＤへの記録時に行われる処理を示すフローチャート
【図８】第１の実施形態においてＤＶＤ再作成の依頼があった際に行われる処理を示すフローチャート
【図９】第２の実施形態におけるラボの構成を示す概略ブロック図
【図１０】第２の実施形態においてＤＶＤ再作成の依頼があった際に行われる処理を示すフローチャート
【符号の説明】
【００５１】
１    メディア
２，２′    ラボ
３    ＤＶＤ
１１    画像入力部
１２    分解部
１３    画像記録部
１４    記録先情報生成部
１５    ハードディスク
１６    通信部
１７    ＣＰＵ
１８    表示部
１９    入力部
２０，２１    画像取得部
【図１】
2007174465.tif 000003
【図２】
2007174465.tif 000004
【図３】
2007174465.tif 000005
【図４】
2007174465.tif 000006
【図５】
2007174465.tif 000007
【図６】
2007174465.tif 000008
【図７】
2007174465.tif 000009
【図８】
2007174465.tif 000010
【図９】
2007174465.tif 000011
【図１０】
2007174465.tif 000012